(57)【特許請求の範囲】
【請求項１】
画面に画像を表示する表示手段と、
前記画面上における指示体の位置を検知する検知手段と、
前記検知手段により検知された前記指示体の位置の軌跡の始点または終点が前記画面の端または外にあり、かつ当該軌跡の少なくとも一部が当該画面の内部領域に存在するという条件が満たされた場合、当該軌跡に応じて当該画面の分割位置を決定する決定手段と、
前記決定手段により決定された分割位置で前記画面を複数の領域に分割し、当該複数の領域に異なる画像を表示するように前記表示手段を制御する制御手段と、
第１映像供給装置、第２映像供給装置、および第３映像供給装置を含む複数の装置から映像信号の入力を受け付ける入力手段と
を有し、
前記画面に前記第１映像供給装置から供給される映像信号に従った第１画像が表示されている場合において前記指示体の軌跡が前記条件を満たしたときは、前記制御手段は、前記複数の領域のうち前記第１画像を表示する領域以外の領域に表示する画像を前記第２映像供給装置および前記第３映像供給装置を含む複数の装置の中から選択させるための画像オブジェクトを前記表示手段に表示させる
表示装置。
【請求項２】
前記指示体の位置の軌跡の始点または終点が前記画面の端または外にあり、当該軌跡の少なくとも一部が当該画面の内部領域に存在しており、かつ当該軌跡の長さが所定の長さ以上であるという条件が満たされた場合、前記決定手段は、前記画面の分割位置を決定する
ことを特徴とする請求項１に記載の表示装置。
【請求項３】
前記画面の端は、前記画面の上辺または下辺であり、前記決定手段は前記画面を左右に分割するように前記分割位置を決定する
ことを特徴とする請求項２に記載の表示装置。
【請求項４】
前記指示体の位置の軌跡の始点が前記画面の上辺および下辺の一方または外側であり、かつ当該軌跡の終点が当該上辺および下辺の他方または外側であるという条件が満たされた場合、前記決定手段は、前記画面を左右に分割するように前記分割位置を決定する
ことを特徴とする請求項２に記載の表示装置。
【請求項５】
前記画面の端は、前記画面の右辺または左辺であり、前記決定手段は前記画面を上下に分割するように前記分割位置を決定する
ことを特徴とする請求項２に記載の表示装置。
【請求項６】
前記指示体の位置の軌跡の始点が前記画面の右辺および左辺の一方または外側であり、かつ当該軌跡の終点が当該右辺および左辺の他方または外側であるという条件が満たされた場合、前記決定手段は、前記画面を上下に分割するように前記分割位置を決定する
ことを特徴とする請求項２に記載の表示装置。
【請求項７】
前記検知手段は、前記画面上の２つの指示体の位置を検知し、
前記決定手段は、前記２つの指示体が前記画面の短辺の１／１０以下の距離に近接した状態のまま移動した軌跡の始点または終点が前記画面の端または外にあり、かつ当該軌跡の少なくとも一部が当該画面の内部領域に存在するという条件が満たされた場合、当該軌跡に応じて当該画面の分割位置を決定する
ことを特徴とする請求項１ないし６のいずれか一項に記載の表示装置。
【請求項８】
前記決定手段は、前記軌跡が所定の波形状を有しているという条件が満たされた場合、当該軌跡に応じて当該画面の分割位置を決定する
ことを特徴とする請求項１ないし６のいずれか一項に記載の表示装置。
【請求項９】
第１映像供給装置および第２映像供給装置から映像信号の入力を受け付ける入力手段を有し、
前記画面に前記第１映像供給装置から供給される映像信号に従った画像が表示されている場合において前記指示体の軌跡が一方向に凸な形状を有していたときは、前記制御手段は、前記複数の領域のうち当該一方向に応じて決められる一の領域に、前記第２映像供給装置から供給される映像信号に従った画像を表示する
ことを特徴とする請求項１ないし８のいずれか一項に記載の表示装置。
【請求項１０】
画面に画像を表示するステップと、
前記画面上における指示体の位置を検知するステップと、
前記検知された指示体の位置の軌跡の始点または終点が前記画面の端または外にあり、かつ当該軌跡の一部が当該画面の内部領域に存在するという条件が満たされた場合、当該軌跡に応じて当該画面の分割位置を決定するステップと、
前記決定された分割位置で前記画面を複数の領域に分割し、当該複数の領域に異なる画像を表示するように画面表示を制御するステップと
を有し、
第１映像供給装置、第２映像供給装置、および第３映像供給装置を含む複数の装置から映像信号の入力を受け付け、
前記画面に前記第１映像供給装置から供給される映像信号に従った第１画像が表示されている場合において前記指示体の軌跡が前記条件を満たしたときは、前記画面表示を制御するステップは、前記複数の領域のうち前記第１画像を表示する領域以外の領域に表示する画像を前記第２映像供給装置および前記第３映像供給装置を含む複数の装置の中から選択させるための画像オブジェクトを前記画面に表示させる
表示制御方法。
【発明の詳細な説明】
【技術分野】
【０００１】
本発明は、画面を複数の領域に分割して画像を表示する技術に関する。
【背景技術】
【０００２】
プロジェクター等の表示装置において、画面を複数の領域に分割して、一画面に複数の画像を表示する技術が知られている。例えば特許文献１には、あらかじめ決められた分割レイアウトの中からユーザーが所望のレイアウトを選択する技術が記載されている。特許文献２には、分割ウインドウの大きさをユーザーの操作によって変更する技術が記載されている。
【先行技術文献】
【特許文献】
【０００３】
【特許文献１】特開２００９−１３３９８５号公報
【特許文献２】特開２０１１−１５８８４４号公報
【発明の概要】
【発明が解決しようとする課題】
【０００４】
特許文献１および２に記載された技術においては、画面の分割位置をユーザーが自由に選択できないという問題があった。
これに対し本発明は、ユーザーが、簡単な操作で、より自由に画面の分割位置を決めることができる技術を提供する。
【課題を解決するための手段】
【０００５】
本発明は、画面に画像を表示する表示手段と、前記画面上における指示体の位置を検知する検知手段と、前記検知手段により検知された前記指示体の位置の軌跡の始点または終点が前記画面の端または外にあり、かつ当該軌跡の少なくとも一部が当該画面の内部領域に存在するという条件が満たされた場合、当該軌跡に応じて当該画面の分割位置を決定する決定手段と、前記決定手段により決定された分割位置で前記画面を複数の領域に分割し、当該複数の領域に異なる画像を表示するように前記表示手段を制御する制御手段とを有する表示装置を提供する。
この表示装置によれば、ユーザーが指示体を移動させた軌跡に応じて画面の分割位置を決めることができる。
【０００６】
前記指示体の位置の軌跡の始点または終点が前記画面の端または外にあり、当該軌跡の少なくとも一部が当該画面の内部領域に存在しており、かつ当該軌跡の長さが所定の長さ以上であるという条件が満たされた場合、前記決定手段は、前記画面の分割位置を決定してもよい。
この表示装置によれば、ユーザーが指示体を移動させた特定の軌跡に応じて画面の分割位置を決めることができる。
【０００７】
前記画面の端は、前記画面の上辺または下辺であり、前記決定手段は前記画面を左右に分割するように前記分割位置を決定してもよい。
この表示装置によれば、画面の上辺または下辺から内部領域を経由する軌跡を描くことにより画面を左右に分割することができる。
【０００８】
前記指示体の位置の軌跡の始点が前記画面の上辺および下辺の一方または外側であり、かつ当該軌跡の終点が当該上辺および下辺の他方または外側であるという条件が満たされた場合、前記決定手段は、前記画面を左右に分割するように前記分割位置を決定してもよい。
この表示装置によれば、ユーザーが指示体を移動させた特定の軌跡に応じて画面の分割位置を決めることができる。
【０００９】
前記画面の端は、前記画面の右辺または左辺であり、前記決定手段は前記画面を上下に分割するように前記分割位置を決定してもよい。
この表示装置によれば、ユーザーが指示体を移動させた特定の軌跡に応じて画面の分割位置を決めることができる。
【００１０】
前記検知手段は、前記画面上の２つの指示体の位置を検知し、前記決定手段は、前記２つの指示体が前記画面の短辺の１／１０以下の距離に近接した状態のまま移動した軌跡の始点または終点が前記画面の端または外にあり、かつ当該軌跡が当該画面を通っているという条件が満たされた場合、当該軌跡に応じて当該画面の分割位置を決定してもよい。
この表示装置によれば、ユーザーが指示体を移動させて特定の形状の軌跡を描いた場合に、その軌跡に応じて画面の分割位置を決めることができる。
【００１１】
前記指示体の位置の軌跡の始点が前記画面の右辺および左辺の一方または外側であり、かつ当該軌跡の終点が当該右辺および左辺の他方または外側であるという条件が満たされた場合、前記決定手段は、前記画面を上下に分割するように前記分割位置を決定してもよい。
この表示装置によれば、画面の右辺または左辺から内部領域を経由する軌跡を描くことにより画面を上下に分割することができる。
【００１２】
前記検知手段は、前記画面上の２つの指示体の位置を検知し、前記決定手段は、前記２つの指示体が前記画面の短辺の１／１０以下の距離に近接した状態のまま移動した軌跡の始点または終点が前記画面の端または外にあり、かつ当該軌跡の少なくとも一部が当該画面の内部領域に存在するという条件が満たされた場合、当該軌跡に応じて当該画面の分割位置を決定してもよい。
この表示装置によれば、ユーザーが指示体を移動させて特定の形状の軌跡を描いた場合に、その軌跡に応じて画面の分割位置を決めることができる。
【００１３】
前記決定手段は、前記軌跡が所定の波形状を有しているという条件が満たされた場合、当該軌跡に応じて当該画面の分割位置を決定してもよい。
この表示装置によれば、ユーザーが指示体を移動させて所定の波形状の軌跡を描いた場合に、その軌跡に応じて画面の分割位置を決めることができる。
【００１４】
この表示装置は、第１映像供給装置および第２映像供給装置から映像信号の入力を受け付ける入力手段を有し、前記画面に前記第１映像供給装置から供給される映像信号に従った画像が表示されている場合において前記指示体の軌跡が一方向に凸な形状を有していたときは、前記制御手段は、前記複数の領域のうち当該方向に応じて決められる一の領域に、前記第２映像供給装置から供給される映像信号に従った画像を表示してもよい。
この表示装置によれば、新たな画像を表示させる領域を自動的に決めることができる。
【００１５】
この表示装置は、第１映像供給装置、第２映像供給装置、および第３映像供給装置を含む複数の装置から映像信号の入力を受け付ける入力手段を有し、前記画面に前記第１映像供給装置から供給される映像信号に従った第１画像が表示されている場合において前記指示体の軌跡が前記条件を満たしたときは、前記制御手段は、前記複数の領域のうち前記第１画像を表示する領域以外の領域に表示する画像を前記第２映像供給装置および前記第３映像供給装置を含む複数の装置の中から選択させるための画像オブジェクトを前記表示手段に表示させてもよい。
この表示装置によれば、新たな画像を表示させる領域をユーザーの指示に応じて決めることができる。
【００１６】
また、本発明は、画面に画像を表示するステップと、前記画面上における指示体の位置を検知するステップと、前記検知された指示体の位置の軌跡の始点または終点が前記画面の端または外にあり、かつ当該軌跡の一部が当該画面の内部領域に存在するという条件が満たされた場合、当該軌跡に応じて当該画面の分割位置を決定するステップと、前記決定された分割位置で前記画面を複数の領域に分割し、当該複数の領域に異なる画像を表示するように画面表示を制御するステップとを有する表示制御方法を提供する。
この表示制御方法によれば、ユーザーが指示体を移動させた軌跡に応じて画面の分割位置を決めることができる。
【図面の簡単な説明】
【００１７】
【図１】一実施形態に係る表示装置１０の機能構成を示す図。
【図２】表示装置１０のハードウェア構成を示す図。
【図３】表示装置１０の動作を示すフローチャート。
【図４】開始条件を満たす軌跡を例示する図。
【図５】画面の分割位置を例示する図。
【図６】画面の表示例を示す図。
【図７】画面分割の契機となる軌跡の別の例を示す図。
【図８】画面分割の契機となる軌跡の別の例を示す図。
【図９】画面分割の契機となる軌跡の別の例を示す図。
【図１０】軌跡と画面分割との関係を例示する図。
【図１１】軌跡と画面分割との関係を例示する図。
【図１２】映像供給装置を選択するためのＵＩを例示する図。
【発明を実施するための形態】
【００１８】
１．構成
図１は、一実施形態に係る表示装置１０の機能構成を示す図である。表示装置１０は、画面上の指示体２０の位置の軌跡に応じて描かれる線を表示する機能を有する。さらに、表示装置１０は、画面を分割し、複数の映像供給装置からの映像を同時に表示する機能を有する。特に表示装置１０は、指示体２０の軌跡に応じて画面の分割位置を自動的に決める機能を有する。
【００１９】
表示装置１０は、入力手段１１、表示手段１２、検知手段１３、決定手段１４、制御手段１５、描画手段１６、および送信手段１７を有する。
【００２０】
入力手段１１は、複数の映像供給装置（図示略）から映像信号の入力を受け付ける。表示手段１２は、画面に画像を表示する。ここでは、表示手段１２は、複数の映像供給装置から選択された少なくとも一の映像供給装置からの映像信号に従った画像を表示する。検知手段１３は、画面上の指示体２０の位置を検知する。決定手段１４は、検知手段１３により検知された指示体２０の位置の軌跡が所定の条件を満たした場合、その軌跡に応じて画面の分割位置を決定する。ここで「所定の条件」は、例えば、軌跡の始点または終点が画面の端または外にあり、かつその軌跡の少なくとも一部が画面の内部領域に存在するという条件である。制御手段１５は、決定手段１４により決定された分割位置で画面を複数の領域に分割する。さらに、制御手段１５は、これら複数の領域に異なる画像を表示するように表示手段１２を制御する。
【００２１】
この例で、表示装置１０は、第１モードおよび第２モードを含む複数の動作モードのいずれかで動作する。描画手段１６は第１モードにおいて有効になる機能であり、画面上における指示体２０の軌跡に応じた線を描画する。表示手段１２は、描画手段１６が描画した線を、映像供給装置からの映像信号に従った画像に重ねて表示する。ユーザーによる指示体２０の操作に応じた線が画面に描画されるモードであるという意味において、以下第１モードを「インタラクティブモード」という。
【００２２】
送信手段１７は第２モードにおいて有効になる機能であり、画面上における指示体２０の位置を示す情報（例えば画面に対して定義された座標系における座標）を映像供給装置に送信する。映像供給装置がパーソナルコンピューター（ＰＣ）等の情報処理装置である場合、この情報がポインティングデバイスの入力（例えばマウス操作）として用いられる。例えば、ユーザーが画面上で指示体２０を動かすと、その動きに追従してマウスカーソルが移動する。このマウスカーソルは映像供給装置によって描画されている。ユーザーによる指示体２０の操作に応じて映像供給装置のマウスカーソルが移動するモードであるという意味において、以下第２モードを「ＰＣモード」という。
【００２３】
図２は、表示装置１０のハードウェア構成を示す図である。この例で、表示装置１０はプロジェクターであり、画面とはスクリーン上または壁面上に投写される画像領域のことである。表示装置１０は、ＣＰＵ（Central Processing Unit）１００、ＲＯＭ（Read Only Memory）１０１、ＲＡＭ（Random Access Memory）１０２、ＩＦ部１０４、画像処理回路１０５、投写ユニット１０６、操作パネル１０７、およびカメラ１０８を有する。
【００２４】
ＣＰＵ１００は、表示装置１０の各部を制御する制御装置である。ＲＯＭ１０１は、各種プログラムおよびデータを記憶した不揮発性の記憶装置である。ＲＡＭ１０２は、データを記憶する揮発性の記憶装置であり、ＣＰＵ１００が処理を実行する際のワークエリアとして機能する。
【００２５】
ＩＦ部１０４は、外部装置（例えば映像供給装置）と信号またはデータのやりとりを仲介するインターフェースである。ＩＦ部１０４は、外部装置と信号またはデータのやりとりをするための端子（例えば、ＶＧＡ端子、ＵＳＢ端子、有線ＬＡＮインターフェース、Ｓ端子、ＲＣＡ端子、ＨＤＭＩ（High-Definition Multimedia Interface：登録商標）端子、マイクロフォン端子など）および無線ＬＡＮインターフェースを含む。これらの端子は、映像入力端子に加え、映像出力端子を含んでもよい。
【００２６】
画像処理回路１０５は、入力された映像信号（以下「入力映像信号」という）に所定の画像処理（例えばサイズ変更、台形補正等）を施す。
【００２７】
投写ユニット１０６は、画像処理が施された映像信号に従って、スクリーンまたは壁面等の投写面に画像を投写する。投写ユニット１０６は、光源、光変調器、および光学系（いずれも図示略）を有する。光源は、高圧水銀ランプ、ハロゲンランプ、もしくはメタルハライドランプなどのランプ、またはＬＥＤ（Light Emitting Diode）もしくはレーザーダイオードなどの固体光源、およびこれらの駆動回路を含む。光変調器は、光源から照射された光を映像信号に応じて変調する装置であり、例えば液晶パネルまたはＤＭＤ（Digital Mirror Device）、およびこれらの駆動回路を有する。なお、液晶パネルは、透過型および反射型のいずれの方式であってもよい。光学系は、光変調器により変調された光をスクリーンに投写する素子などで構成されており、例えばミラー、レンズ、およびプリズムを有する。光源および光変調器は色成分毎に設けられていてもよい。
【００２８】
操作パネル１０７は、ユーザーが表示装置１０に対し指示を入力するための入力装置であり、例えば、キーパッド、ボタン、またはタッチパネルを含む。
【００２９】
カメラ１０８は、指示体２０の位置を特定するためのカメラである。この例で、指示体２０は、ペン先に発光体（例えば赤外線発光ダイオード）、圧力センサー、および制御回路（いずれも図示略）を有する。圧力センサーによりペン先が物体（投写面等）に触れたことが検知されると、制御回路は、所定の発光パターンで発光体を発光させる。カメラ１０８は赤外線カメラであり、投写面の画像を撮影する。ＣＰＵ１００は、カメラ１０８が撮影した画像から指示体２０の位置および対応するイベントを特定する。
【００３０】
指示体２０に関連するイベントには、例えばペンダウンイベントおよびペンアップイベントがある。ペンダウンイベントは、指示体２０が表示面（この例ではスクリーンまたは壁面）に触れていることを示すイベントである。ペンダウンイベントは、指示体２０が触れている位置を示す座標を含んでいる。ペンアップイベントは、それまで表示面に触れていた指示体２０が表示面から離れたことを示すイベントである。ペンアップイベントは、指示体２０が表示面から離れた位置を示す座標を含んでいる。
【００３１】
なお、カメラ１０８は、投写ユニット１０６により投写される画像の有効画素領域よりも広い範囲（すなわち画面の外）を撮影可能である。すなわち、表示装置１０は、指示体２０が画面の外にあっても（一定の範囲内であれば）、指示体２０の位置を検知することが可能である。
【００３２】
ＩＦ部１０４は、入力手段１１の一例である。投写ユニット１０６は、表示手段１２の一例である。カメラ１０８と協働するＣＰＵ１００は、検知手段１３の一例である。ＣＰＵ１００は、決定手段１４、制御手段１５、および描画手段１６の一例である。ＩＦ部１０４と協働するＣＰＵ１００は、送信手段１７の一例である。
【００３３】
２．動作
図３は、表示装置１０の動作を示すフローチャートである。図３のフローは、例えば、表示装置１０が起動したことを契機として実行される。または、図３のフローは、設定メニュー等によりユーザーが実行を指示した場合に実行されてもよい。
【００３４】
また、この例において、表示装置１０には複数の映像供給装置（例えば、ＰＣおよびＤＶＤプレーヤー）が接続され、両者からそれぞれ映像信号が入力されている。図３のフローの開始時点においては、画面は分割されておらず単一の映像供給装置（以下、第１映像供給装置という。例えばＰＣ）から入力される映像信号に従った画像が表示される。
【００３５】
ステップＳ１００において、ＣＰＵ１００は、指示体２０の位置の記録を開始する。以下、ＣＰＵ１００は、カメラ１０８により撮影された画像から、指示体２０に関連するイベントを定期的に検知し、検知したイベントをＲＡＭ１０２に記憶する。ＲＡＭ１０２には、複数のイベントが記憶される。ＣＰＵ１００は、所定の規則に従ってこれらのイベントをグループ化し、一連の軌跡を示すデータとして扱う。例えば、前回のペンアップイベントからしきい値時間が経過した後、最初に検知されたペンダウンイベントから、次に検知されるペンアップイベントまでが一連の軌跡を示すデータとしてグループ化される。以下、ＲＡＭ１０２に記憶されているデータにより示される指示体２０の位置の軌跡を単に「軌跡」という。
【００３６】
ステップＳ１１０において、ＣＰＵ１００は、軌跡が画面分割の開始条件を満たしたか判断する。画面分割の開始条件としては、例えば以下のものが用いられる。
（ａ）軌跡の始点が画面外（有効画素領域外）にあり、
（ｂ）軌跡が始点から画面の第１辺を横切って画面の内部領域（有効画素領域内）に入っており、
（ｃ）軌跡が画面内から画面の第１辺と対向する第２辺を横切って画面の外に出ており、かつ
（ｄ）軌跡の終点が画面の外にある。
すなわちこの条件は、「画面の一辺からこれと対向する他辺まで、指示体２０が画面上を横切った」というものである。なお、ステップＳ１１０の判断は、検知されたイベントが特定のイベント（例えばペンアップイベント）であった場合にのみ行われてもよい。
【００３７】
図４は、開始条件を満たす軌跡を例示する図である。この例では、画面ＳＣの上辺の外に始点があり、画面ＳＣを横切って、下辺の外が終点である。なお、図では軌跡Ｔを実線として示しているが、これは説明のために表したもので、この線が実際に画面上に表示されるわけではない。
【００３８】
開始条件が満たされたと判断された場合（Ｓ１１０：ＹＥＳ）、ＣＰＵ１００は、処理をステップＳ１２０に移行する。開始条件が満たされていないと判断された場合（Ｓ１１０：ＮＯ）、ＣＰＵ１００は、開始条件が満たされたと判断されるまで待機する。
【００３９】
再び図３を参照する。ステップＳ１２０において、ＣＰＵ１００は、分割位置を決定する。分割位置は軌跡に応じて決められる。具体的には例えば以下のとおりである。ＣＰＵ１００は、軌跡から代表点を抽出する。代表点は、例えば中点である。この場合における中点とは、軌跡に含まれる点のうち第１辺までの距離と第２辺までの距離とが等しい点をいう。さらに、ＣＰＵ１００は、指示体２０の軌跡から分割方向を決定する。分割方向は、例えば、第１辺および第２辺に垂直な方向である。ＣＰＵ１００は、代表点を通り分割方向に伸びる線で画面を分割する。
【００４０】
図５は、画面の分割位置を例示する図である。この例では、画面ＳＣおよび軌跡Ｔが示されている。軌跡Ｔは、上辺の画面外から画面を横切って下辺の画面外に達している。すなわちこの例では、第１辺が上辺であり、第２辺が下辺である。代表点Ｐは、ｙ軸（縦軸）の座標が上辺と下辺の中央の点である。この場合、代表点Ｐを通り上辺および下辺に垂直な線Ｂが、分割線、すなわち分割後の第１領域Ａ１と第２領域Ａ２との境界である。図５では、上下に軌跡を描くことにより画面を左右に分割しているが、例えば第１辺が左辺、第２辺が右辺の場合、上下に画面を分割することができる。
【００４１】
再び図３を参照する。ステップＳ１３０において、ＣＰＵ１００は、分割後の第１領域および第２領域のどちらに新たな画像を表示するか決定する。この例で、新たな画像は、第１映像供給装置とは別の映像供給装置（以下、第２映像供給装置という。例えばＤＶＤ（Digital Versatile Disk）プレーヤー）から供給される映像信号に従って表示される画像である。
【００４２】
この例で、ＣＰＵ１００は、画面分割の契機となった軌跡に応じて自動的に、新たな画像を表示する領域を決定する。具体的には以下のとおりである。ＣＰＵ１００は、軌跡が凸になっている方向を特定する。凸になっている方向は、例えば、軌跡を円弧で近似し、この円弧が分割線のどちら側に凸になっているか判断することにより特定される。ＣＰＵ１００は、分割線から見て軌跡が凸になっている方向に位置する領域を、新たな画像を表示する領域として決定する。
【００４３】
ステップＳ１４０において、ＣＰＵ１００は、画面分割を行う。すなわち、ＣＰＵ１００は、画面を第１領域および第２領域に分割する。ＣＰＵ１００は、このうちステップＳ１３０において決定された領域に第２映像供給装置から供給される映像信号に従った画像を、他の領域に第１映像供給装置から供給される映像信号に従った画像を表示するように、投写ユニット１０６を制御する。
【００４４】
図６は、画面の表示例を示す図である。この例で、軌跡Ｔは左側に凸になっている。したがって、分割後の左側の領域（領域Ａ１）に新たな画像（画像ＩＭ２）が表示される。他方の領域である領域Ａ２には、分割前から表示されていた画像ＩＭ１が表示される。画像ＩＭ１は、分割前と比較するとサイズが縮小されている。
【００４５】
以上で説明したように本実施形態によれば、ユーザーが、簡単な操作で、自由に画面の分割位置を決めることができる。この操作は、軌跡の始点および終点が画面の外にあることを条件としているので、インタラクティブモードにおける描画操作およびＰＣモードにおけるマウス操作とは容易に区別可能なものである。さらに、本実施形態においては、軌跡が凸になっている方向に存在する領域に新たな画像が表示される。大スクリーンに画像を投写しながらプレゼンテーションを行うような利用シーンを考えると、軌跡が凹になっている方向にはユーザー（プレゼンター）の体があることが想定される。すなわち軌跡が凸になっている方向に新たな画像を表示することにより、ユーザーの体に邪魔されない領域に自動的に新たな画像を表示することができる。
【００４６】
３．変形例
本発明は上述の実施形態に限定されるものではなく種々の限定実施が可能である。以下、変形例をいくつか説明する。以下の変形例のうち２つ以上のものが組み合わせて用いられてもよい。
【００４７】
３−１．変形例１
画面分割の開始条件すなわち画面分割の契機となる軌跡は、実施形態で説明したものに限定されない。開始条件としては、例えば、軌跡の始点および終点の少なくとも一方が画面の端または外にあり、かつ軌跡の少なくとも一部が画面の内部領域に存在するものであれば、どのような条件が用いられてもよい。具体的には例えば以下のとおりである。別の例で、軌跡の始点および終点がいずれも画面の内部領域にあってもよいが、軌跡の形状がある特徴を有している場合に画面分割が開始されるという条件が用いられてもよい。
【００４８】
３−１−１．例１
図７は、画面分割の契機となる軌跡の別の例を示す図である。この例では、開始条件として以下のものが用いられる。
（ａ）軌跡の始点が画面外にあり、
（ｂ）軌跡が始点から画面の一辺を横切って画面内に入っており、
（ｅ）軌跡の終点が画面の内部領域にあり、かつ
（ｆ）軌跡の長さが所定の長さ（例えば画面の短辺の長さの半分）以上である。
なお、上記の条件において「始点」と「終点」とを入れ替えて読み替えたものが用いられてもよい。この場合、始点または終点のどちらかは画面外であるので、インタラクティブモードにおける描画操作およびＰＣモードにおけるマウス操作とは容易に区別可能である。
【００４９】
３−１−２．例２
図８は、画面分割の契機となる軌跡の別の例を示す図である。この例では、開始条件として以下のものが用いられる。
（ｆ）軌跡の長さが所定の長さ（例えば画面の短辺の長さの半分）以上であり、かつ
（ｇ）軌跡の進行方向に垂直な方向における軌跡の向きが所定回数（例えば５回）以上、変化している（すなわち形状が波形である）。この場合もインタラクティブモードにおける描画操作およびＰＣモードにおけるマウス操作とは容易に区別可能である。
【００５０】
３−１−３．例３
図９は、画面分割の契機となる軌跡の別の例を示す図である。この例では、開始条件として以下のものが用いられる。また、検知手段１３は、２つの指示体の位置を同時に検知することが可能である。
（ｈ）指示体がユーザーの指であり、
（ｉ）ユーザーの片手の２本の指で軌跡を描き（すなわち軌跡が二重線である）、
（ｆ）軌跡の長さが所定の長さ（例えば画面の短辺の長さの半分）以上である。
なおこの場合において指示体はユーザーの指ではなく２本のペンであってもよい。すなわち、２つの指示体により指示される点が近接した状態（例えば２つの指示体が画面の短辺の長さの１／１０以下の距離を保った状態）で所定の長さ以上の長さの線が描かれたときに、画面分割が開始されてもよい。この場合もインタラクティブモードにおける描画操作およびＰＣモードにおけるマウス操作とは容易に区別可能である。
【００５１】
３−１−４．他の例
例１〜例３はあくまで例示である。開始条件の要素（ａ）〜（ｉ）は任意の２つ以上の要素が組み合わせられてもよいし、（ａ）〜（ｉ）以外の別の要素が組み合わせられてもよい。
【００５２】
３−２．変形例２
実施形態では画面を２分割する例を説明したが、分割数はこれに限定されない。
【００５３】
３−２−１．例１
図１０は、軌跡と画面分割との関係を例示する図である。この例では、軌跡Ｔ１および軌跡Ｔ２の２つの軌跡によって画面が分割されている。軌跡Ｔ１は画面の上辺から下辺に向かう軌跡であり、軌跡Ｔ２は画面の左辺から右辺に向かう軌跡である。この例では、まず軌跡Ｔ１により画面が左右に２分割され、この状態からさらに軌跡Ｔ２により、左右２つの領域がそれぞれ上下に分割される。すなわち、合計で４領域（領域Ａ１〜Ａ４）に分割される。軌跡Ｔ１およびＴ２の代表点はそれぞれＰ１およびＰ２である。領域Ａ４に画像ＩＭ１が表示されている。画像ＩＭ１は、画面分割が行われてないとき（一画面表示のとき）から表示されている元の画像である。画像ＩＭ２は、軌跡Ｔ１により新たに表示された画像である。画像ＩＭ３および画像ＩＭ４は、軌跡Ｔ２により新たに表示された画像である。
【００５４】
３−２−２．例２
図１１は、軌跡と画面分割との関係を例示する図である。この例では、軌跡Ｔ３および軌跡Ｔ４の２つの軌跡によって画面が分割されている。軌跡Ｔ３は画面の左辺から右辺に向かう軌跡であり、軌跡Ｔ４は画面の上辺から下辺に向かう軌跡である。この例では、まず軌跡Ｔ３により画面が上下に２分割され、この状態からさらに軌跡Ｔ４により、上下２つの領域がそれぞれ左右に分割される。すなわち、合計で４領域（領域Ａ１〜Ａ４）に分割される。軌跡Ｔ３およびＴ４の代表点はそれぞれＰ３およびＰ４である。領域Ａ４に画像ＩＭ１が表示されている。画像ＩＭ１は、画面分割が行われてないとき（一画面表示のとき）から表示されている元の画像である。画像ＩＭ２は、軌跡Ｔ３により新たに表示された画像である。画像ＩＭ３および画像ＩＭ４は、軌跡Ｔ４により新たに表示された画像である。
【００５５】
３−３．変形例３
表示装置１０に３つ以上の映像供給装置から映像信号が供給されている場合、分割後の画面にどの映像供給装置から供給される映像信号に従った画像を表示させるか自動的に決められない場合がある。このような場合、ＣＰＵ１００は、分割後の画面に新たに表示される画像をユーザーに選択させてもよい。
【００５６】
図１２は、映像供給装置を選択するためのＵＩを例示する図である。ＣＰＵ１００は、分割後の第１領域および第２領域のうち、新たな画像を表示すると決定された領域に、映像供給装置を選択するためのＵＩすなわち画像オブジェクトＯ１を表示するように、投写ユニット１０６を制御する。この例では、映像供給装置のリストが表示される。ユーザーは、このリストの中から、新たに表示させる画像に対応する映像供給装置を選択する。ＣＰＵ１００は、ユーザーの選択に応じて、新たな画像として表示する映像信号を供給する映像供給装置を決定する。
【００５７】
３−４．変形例４
実施形態においては画面分割を解除する処理について説明していないが、例えば、その画面分割の契機となった軌跡と逆向きの軌跡が入力された場合、ＣＰＵ１００は、画面分割を解除してもよい。例えば図５において、下辺から上辺に向かう軌跡が入力された場合に、画面分割が解除されて一画面表示に戻ってもよい。
【００５８】
３−５．他の変形例
分割後のどちらの領域に新たな画像を表示させるか、ユーザーに選択させてもよい。この場合、ＣＰＵ１００は、開始条件を満たす軌跡が入力された後、どちらの領域に新たな画像を表示するかユーザーに選択させるためのＵＩを表示するように、投写ユニット１０６を制御する。
【００５９】
分割前の画面がインタラクティブモードであってもかまわない。この場合、分割後の新たな領域は、別のインタラクティブモード画面であってもよいし、他の映像供給装置から供給される製造信号に従った画像を表示させてもよい。
【００６０】
軌跡の代表点は実施形態で説明したものに限定されない。軌跡の長さを２分する点や、ｘ座標またはｙ座標が最大または最小の点が代表点として用いられてもよい。また、軌跡と画面の端との交点が代表点として用いられてもかまわない。
【００６１】
図１の機能を実現するための表示装置１０のハードウェア構成は図２で例示したものに限定されない。例えば、表示装置１０は、ステレオカメラを用いて、指示体が指示した画面上の位置を検知してもよい。別の例で、表示装置１０はプロジェクターではなく、タッチスクリーンを有する直視の表示装置（液晶表示装置や有機ＥＬ表示装置）であってもよい。また、図１で示した機能の一部は省略されてもよい。
【符号の説明】
【００６２】
１０…表示装置、１１…入力手段、１２…表示手段、１３…検知手段、１４…決定手段、１５…制御手段、１６…描画手段、１７…送信手段、２０…指示体、１００…ＣＰＵ、１０１…ＲＯＭ、１０２…ＲＡＭ、１０４…ＩＦ部、１０５…画像処理回路、１０６…投写ユニット、１０７…操作パネル、１０８…カメラ
【図１】
0006520227.tif 000002
【図２】
0006520227.tif 000003
【図３】
0006520227.tif 000004
【図４】
0006520227.tif 000005
【図５】
0006520227.tif 000006
【図６】
0006520227.tif 000007
【図７】
0006520227.tif 000008
【図８】
0006520227.tif 000009
【図９】
0006520227.tif 000010
【図１０】
0006520227.tif 000011
【図１１】
0006520227.tif 000012
【図１２】
0006520227.tif 000013